(57)【要約】【課題】溝付板材の溝内面を、溝のエッジまできれいに塗装することができる溝塗装方法及びそれを実施するための簡単な構造の溝塗装装置を提供する。【解決手段】塗布液を連続的に吐出するディスペンサノズル８を溝付板材１の溝４に対して相対的に移動させながら該溝内に塗布液１３を供給し、次いで、円盤状の回転スキージ９を回転させながら塗布液供給後の溝に対して相対的に移動させ、塗布液１３ｂを溝内面に拡げると共に過剰な塗布液１３ａを回転スキージ周面に付着させて溝４から除去し、長い溝４に対しても常に一定幅での溝塗装を行うことができる構成とする。【選択図】図４
2008272656.tif 000002
【特許請求の範囲】
【請求項１】
表面に溝を備えた溝付板材の前記溝を塗装する方法であって、塗布液を連続的に吐出するディスペンサノズルを前記溝に対して相対的に移動させながら該溝内に塗布液を供給する工程と、円盤状の回転スキージを回転させながら、塗布液供給後の前記溝に対して相対的に移動させ、前記溝内の塗布液を溝内面に押し拡げると共に一部の塗布液を回転スキージ周面に付着させて前記溝から除去する工程を有する溝付板材の溝塗装方法。
【請求項２】
表面に溝を備えた溝付板材の前記溝を塗装する装置であって、塗布液を連続的に吐出して前記溝内に供給するディスペンサノズルと、溝内に供給された塗布液を溝内面に押し拡げる円盤状の回転スキージと、前記ディスペンサノズル及び回転スキージを、前記板材の溝に対して相対的に移動させる手段を備えた溝付板材の溝塗装装置。
【発明の詳細な説明】
【技術分野】
【０００１】
本発明は、床材などに用いられる板材の表面に設けられている溝を塗装する方法及び装置に関する。
【背景技術】
【０００２】
従来より、床材や壁材などとして、合板表面に化粧材を積層した板材が用いられており、また、その板材に木板を並べたような外観を付与するため、表面に溝加工を施した溝付板材も用いられている。この溝付板材では、通常、溝加工後にその溝に塗装を行っている。溝の塗装方法としては、溝を含む板材表面全域に塗布液を塗布し、その後板材表面の塗布液をローラで掻き取ることで、溝内面のみに塗布液を残し、結果的に溝内面に塗装を行う方法（例えば、特開平７−１１７２０４号公報参照）が知られており、また、溝内に過剰な塗布液を供給し、その後、余剰塗布液を吸引ノズルユニットによって吸引除去する方法（例えば、特開平３−１３７９６８号公報参照）も知られている。
【０００３】
しかしながら、溝を含む板材表面全域に塗布液を塗布し、その後板材表面の塗布液をローラで掻き取る方法では、板材表面の塗布液の掻き取りが困難であり、確実に掻き取るには、掻き取り用のローラを５〜８段というように多段に配置しなければならず、設備が大がかりとなるという問題があった。また、溝付板材の表面にエンボス加工を施したものが知られており、近年そのエンボス加工をより深くすることが行われているが、そのようなエンボス加工を施した溝付板材では、表面に塗布した塗布液の掻き取りが一層困難となるという問題があった。溝内に過剰な塗布液を供給し、その後、余剰塗布液を吸引ノズルユニットによって吸引除去する方法では、塗布液が溝の外側にはみ出すとか、溝のエッジまで届かないといったことがあり、見栄えを悪くすることがあった。
【０００４】
【特許文献１】特開平７−１１７２０４号公報
【特許文献２】特開平３−１３７９６８号公報
【発明の開示】
【発明が解決しようとする課題】
【０００５】
本発明はかかる問題点に鑑みてなされたもので、簡単な構成の設備を用いて、溝付板材の溝内面を、溝のエッジまできれいに塗装することができる溝付板材の溝塗装方法及び装置を提供することを課題とする。
【課題を解決するための手段】
【０００６】
本発明の溝塗装方法は上記課題を解決するため、塗布液を連続的に吐出するディスペンサノズルを溝付板材の溝に対して相対的に移動させながら該溝内に塗布液を供給し、次いで、円盤状の回転スキージを回転させながら、塗布液供給後の前記溝に対して相対的に移動させ、前記溝内の塗布液を溝内面に押し拡げると共に一部の塗布液を回転スキージ周面に付着させて前記溝から除去する構成としたものである。
【０００７】
また、本発明の溝塗装装置は、上記した溝塗装方法を実施するため、塗布液を連続的に吐出して溝付板材の溝内に供給するディスペンサノズルと、溝内に供給された塗布液を溝内面に押し拡げる円盤状の回転スキージと、前記ディスペンサノズル及び回転スキージを、前記板材の溝に対して相対的に移動させる手段を備えるという構成としたものである。
【発明の効果】
【０００８】
本発明方法及び装置によれば、溝付板材の溝に対してディスペンサノズルで塗布液を連続的に供給してゆき、その塗布液を回転スキージで溝内面全域に押し拡げてゆくことで、溝内面に塗装を施すことができる。ここで、回転スキージで溝内の塗布液を押し拡げてゆく際、塗布液の一部が回転スキージの周面に付着して、溝内から除去されるため、回転スキージの上流に塗布液が溜まってゆくことはほとんどなく、このため、回転スキージで押し拡げられる塗布液の量が常にほぼ一定に保たれるので、回転スキージで塗布液をほぼ一定幅に押し拡げることができ、長尺の溝付板材の溝に対しても全長に渡ってほぼ一定幅で塗布でき、溝内面を、溝のエッジまできれいに、見栄えよく塗装することができる。また、本発明では、溝内面及び板材表面全域を塗装し、その後板材表面の塗膜を除去するという工程を用いていないので、板材表面の塗膜除去という面倒な作業が不要となり、溝塗装装置を簡略化できると共に、表面にエンボス加工を施した板材に対しても支障なく、溝塗装を行うことができる。
【発明を実施するための最良の形態】
【０００９】
以下、図面に示す本発明の好適な実施の形態を説明する。図１は本発明の溝塗装方法及び装置で塗装の対象とする溝付板材の１例を示す概略斜視図、図２はその溝付板材の溝形成領域を拡大して示す概略断面図である。全体を参照符号１で示す溝付板材は、合板２の表面に化粧材３を積層した構造を有しており、その表面に、溝付板材１の長手方向に溝４を形成している。溝４の断面形状は、Ｖ字状、Ｕ字状等任意であり、この実施の形態ではＶ字状のものを示している。また、溝４のエッジは、図示したもののように角のままとしたものに限らず、丸みを付けたものとしてもよい。
【００１０】
図３は本発明の好適な実施の形態に係る溝塗装装置の１例を示す概略側面図、図４はその一部を拡大して示す概略側面図であり、溝付板材１は断面で示している。図５（ａ）、（ｂ）、（ｃ）、（ｄ）は溝塗装装置によって溝の内面に塗装を施す状態を示す概略断面図、図６（ａ）、（ｂ）は回転スキージの変形例を示す概略側面図である。全体を参照符号６で示す溝塗装装置は、溝付板材１を長手方向に、すなわち溝４に平行方向に搬送する搬送手段７と、搬送中の溝付板材１の表面の溝４に対向する位置に配置され、塗布液１３を連続的に吐出して走行中の溝付板材１の溝４内に供給するディスペンサノズル８と、該ディスペンサノズル８に塗布液を供給する供給タンク及びポンプ等を備えた塗布液供給装置（図示せず）と、溝付板材１の走行方向に関してディスペンサノズル８の下流に溝４に対向して配置され、溝４内に供給された塗布液１３を溝内面に押し拡げる円盤状の回転スキージ９と、この回転スキージ９を回転させる回転駆動装置（図示せず）と、回転スキージ９の周面に付着した塗布液１３ａを除去するドクター又はスクレーパ１０及び回収トレー１１等を備えている。ここで、ディスペンサノズル８及び回転スキージ９は定位置に配置されているが、溝付板材１が溝４に平行方向に移動するので、ディスペンサノズル８及び回転スキージ９は溝４に対して相対的に移動することとなる。従って、この実施の形態では溝付板材１を搬送する搬送手段７が、ディスペンサノズル及び回転スキージを、溝付板材の溝に対して相対的に移動させる手段を構成する。なお、ディスペンサノズル及び回転スキージを、溝付板材の溝に対して相対的に移動させる手段は、この構成に限らず、溝付板材を停止させておき、その溝付板材の溝に沿って、ディスペンサノズル及び回転スキージを移動させる構成としてもよい。
【００１１】
回転スキージ９は、周面の一部を溝４内に位置させた状態で回転しながら溝４に沿って移動し、溝４内に供給されている塗布液１３を溝内面に押し拡げて、溝内面の所望の領域（通常エッジまでの領域）に行き渡らせるためのものである。ここで、回転スキージ９によって溝内面に押し拡げられた塗布液１３ｂは、溝４の内面を一定の厚さ以上で覆っておれば、乾燥後に溝４内面を覆い隠す塗膜を形成して美観上問題がないので、溝内面に均一厚さに塗布液を塗布する必要はなく、例えば、図５（ｃ）に示すように、溝底部側が厚くなるような厚さ分布があっても差し支えない。回転スキージ９の形状は、塗布液１３を溝４の内面の所望の領域（通常、エッジまでの領域）に押し拡げることができるものであれば、特に限定されるものではない。この実施の形態では、図５（ｂ）に示すように、回転スキージ９をその中心軸線に直角方向に見た状態での回転スキージ周面の形状を、溝４の断面形状に相似した形状としているが、この形状に限らず、例えば、図６（ａ）に示すように、周面の頂角を溝４の内面のなす角度とは異ならせた形状としてもよいし、図６（ｂ）に示すように、周面を円弧状としてもよい。回転スキージ９の取り付け位置は、溝４の内面に軽く接触する位置としてもよいし、溝４との間に適当な隙間が形成される位置としてもよい。回転スキージ９の周面を形成する材質は、ゴム等の弾性体でもよいし、金属等の剛性の高い材料でもよい。
【００１２】
次に、上記構成の溝塗装装置６による塗装動作を説明する。溝付板材１が搬送手段７によって、連続的に搬送されてくると、その溝付板材１の走行中にまず、図４、図５（ａ）に示すように、溝付板材１の溝４内にディスペンサノズル８が塗布液１３を連続的に定量供給し、次いで図４、図５（ｂ）に示すように、その塗布液１３を回転スキージ９が押し拡げる。これにより、図４、図５（ｃ）に示すように溝４のエッジに到るまで、溝内面全域に塗布液１３ｂが塗布されることとなる。ここで、回転スキージ９が塗布液を押し拡げる幅は、その回転スキージ９の直前にある塗布液量（回転スキージ９によって押し拡げられる塗布液量）が一定であれば、一定となるので、回転スキージ９の直前に存在する塗布液量を一定としておくことで、塗布液を溝４内面上に一定幅に押し拡げることができる。そして、回転スキージ９が塗布液を押し拡げる範囲は、回転スキージの形状、寸法、回転スキージ直前の塗布液量、塗布液の物性、回転スキージ９の溝４に対する相対的な移動速度等によって定まるので、これらの条件を適切に設定することで、溝４の全長に渡って溝４のエッジまで押し拡げることができる。ところで、溝４内に供給された塗布液１３を押し拡げるには、回転スキージに限らず、一定の姿勢で設けられた棒状或いは板状のスキージ（固定スキージという）を用いても可能である。しかしながら、固定スキージを用いた場合には、溝４内に一定量の塗布液を連続的に供給しておいても、溝４内の塗布液１３が固定スキージで押し拡げられると共に一部が塞き止められるため、固定スキージの直前の塗布液量が増加してゆき、それにつれて固定スキージで塗布液が押し拡げられる幅が増加してゆく且つ塗布液の厚さも増加してゆく。このため、溝４に対する塗布を継続するにつれて溝４のエッジを越えて外側にまで塗膜が形成されてしまい、見栄えを悪くする。これに対し、本発明では回転スキージ９を用いたことにより、塗布液１３の一部が回転スキージ９の周面に付着して、溝４内から除去されるため、回転スキージ９による除去塗布液量と溝４への供給塗布液量とのバランスを適切に設定しておくことで、回転スキージ９の直前に塗布液１３が溜まってゆくことを抑制できる。かくして、長尺の溝付板材１の溝４に対しても全長に渡って、塗布液をほぼ一定幅にきれいに塗布できる。なお、回転スキージ９の周面に付着した塗布液１３ａは、ドクター又はスクレーパ１０によって除去され、回収トレー１１に収容される。
【００１３】
回転スキージ９が塗布液１３を溝４の内面全域に押し拡げた後、溝４の内面に押し拡げられた塗布液１３ｂが乾燥される。これにより、図５（ｄ）に示すように、溝４の内面全域に塗膜１５が形成される。以上により、溝４の内面が全長に渡って一定幅で見栄えよく塗装される。
【００１４】
なお、上記の実施の形態では、塗装対象の溝付板材１として、図１に示すように、長手方向に延びる溝４のみを備えたものを示しているが、本発明はこの構成の溝付板材１に限らず、図７に示すように、横方向に延びる溝４Ａを備えた溝付板材１Ａの溝４Ａに対しても適用可能である。なお、溝４Ａの塗装に当たっては、溝付板材１Ａを停止させておき、まず、ディスペンサノズルを溝４Ａに沿って移動させながら塗布液を供給し、次いで、回転スキージを回転させながら溝４Ａに沿って移動させて塗布液を押し拡げる方法を採ることが、短い溝４Ａに対して効率良く塗装できるので、好ましい。
【００１５】
以上に本発明の好適な実施の形態を説明したが、本発明はこれらの実施の形態に限定されるものではなく、特許請求の範囲の記載範囲内で適宜変更可能であることは言うまでもない。
【図面の簡単な説明】
【００１６】
【図１】本発明で塗装の対象とする溝付板材の１例を示す概略斜視図
【図２】図１に示す溝付板材の溝形成領域を拡大して示す概略断面図
【図３】本発明の好適な実施の形態に係る溝塗装装置の１例を示す概略側面図
【図４】図３に示す溝塗装装置の一部を拡大して示す概略側面図
【図５】（ａ）、（ｂ）、（ｃ）、（ｄ）は溝の内面に塗装を施す状態を示す概略断面図
【図６】（ａ）、（ｂ）は回転スキージの変形例を示す概略側面図
【図７】溝付板材の他の例を示す概略斜視図
【符号の説明】
【００１７】
１、１Ａ  溝付板材
２  合板
３  化粧材
４、４Ａ  溝
６  溝塗装装置
７  搬送手段
８  ディスペンサノズル
９  回転スキージ
１０  ドクター又はスクレーパ
１１  回収トレー
１３  塗布液
１３ａ、１３ｂ  塗布液
【図１】
2008272656.tif 000003
【図２】
2008272656.tif 000004
【図３】
2008272656.tif 000005
【図４】
2008272656.tif 000006
【図５】
2008272656.tif 000007
【図６】
2008272656.tif 000008
【図７】
2008272656.tif 000009